(57)【要約】【課題】容器体と、注ぎ口及び把手部を設けた肩部材と、流出路の開放遮断を行う弁機構、及び弁の開閉操作を行う操作レバーを備えた栓体で構成し、肩部材の開口内周面適宜個所に設けた係止凹部に対して、栓本体の側面から付勢力で突出して係止し、付勢力に抗する後退操作で係止解除を行う着脱レバーによる栓体着脱構造を備えた飲料容器において、容易に分解して内部洗浄を可能とした。【解決手段】  栓体を流出路３１３及び弁機構３２を組み込んだ下方部材３ａと、操作レバー３４及び着脱レバー３５を組み込んだ上方部材３ｂで形成し、上方部材３ｂの周側面３３２を下方部材３ａの周側面３１１の内側に嵌合装着して二重壁に形成すると共に、着脱レバー３５の係止部３５１の出没孔３１５，３３３を、両周側面を貫通して設けてなる。【選択図】図８
2016175681.tif 000002
【特許請求の範囲】
【請求項１】
容器体と、注ぎ口及び把手部を設けて容器体の開口部に固着した肩部材と、流出路の開放遮断を行う弁機構、及び弁の開閉操作を行う操作レバーを備えた栓体で構成され、注ぎ口と把手部と操作レバーを結ぶ線上と直交する方向において、肩部材の開口内周面適宜個所に設けた係止凹部に対して、栓本体の側面から付勢力で突出して係止し、付勢力に抗する後退操作で係止解除を行う着脱レバーによる栓体着脱構造を備えた飲料容器であって、栓本体を流出路及び弁機構を組み込んだ下方部材と、操作レバー及び着脱レバーを組み込んだ上方部材で形成し、上方部材の周側面を下方部材の周側面の内側に嵌合装着して二重壁に形成すると共に、着脱レバーの係止部の出没孔を、両周側面を貫通して設けてなることを特徴とする飲料容器。
【請求項２】
操作レバーが弁閉塞位置にある状態で、着脱レバー先端が下方部材の外側出没孔内に位置する範囲内で、操作レバー側面によって後退動作が制限され、操作レバーが弁開放位置にある状態で、前記後退動作の制限が解除されてなる請求項１記載の飲料容器。
【発明の詳細な説明】
【技術分野】
【０００１】
本発明は、主として卓上用ポットとして使用される飲料容器に関するものである。
【背景技術】
【０００２】
卓上用ポットとして使用される保温タイプの飲料容器としては、断熱容器体の開口部に注ぎ口と把手部を設けた肩部材を装着し、操作レバーで弁体を動作させて流出口の開閉を行う栓体を、前記肩部材に装着しているものが知られている。
【０００３】
特に肩部材への栓体装着構造として、肩部材の開口部に設けた係止凹部と、前記係止凹部に対して栓本体の側面から出没して係止または係止解除を行う着脱レバーとの組み合わせ構造を、注ぎ口と取手とを結ぶ線上に配置される操作レバーに対して直交する線上に配置してなるものが知られている（特許文献１，２）。
【先行技術文献】
【特許文献】
【０００４】
【特許文献１】特開２０１３−１２４１１６号公報。
【特許文献２】特開２０１４−９７８３０号公報。
【発明の概要】
【発明が解決しようとする課題】
【０００５】
栓体は、内部洗浄のために簡易な分解可能構造が要望されている。肩部材に対して螺合装着する構造を採用した栓体では、栓本体を上下部材で構成し、内部洗浄のために上下部材を簡単に分離可能な構造を採用して解決しているが、栓体装着に着脱レバーを採用した前記特許文献１に開示されている栓体では、簡単な分解構造が採用されていない。
【０００６】
前記の特許文献１に開示されている着脱レバー装着構造採用の栓体は、中栓（栓本体）に弁機構が組み込まれ、更に天蓋と、天蓋を複数部材で挟んで組み立てる着脱レバーが組み込まれ、操作レバーを装着する構造であるため、内部洗浄のために分解する場合は、各部を組み立て順の逆手順で分解が必要で、且つ各部品に分解されることになり、内部洗浄のための簡易分解が不可能な構造となっている。特許文献２も同様に内部洗浄のために簡易に分解できる構造ではない。
【０００７】
そこで本発明は、栓体装着に着脱レバーを採用すると共に、栓本体を上下部材で構成し、上下部材を容易に分解して内部洗浄可能とした新規な飲料容器を提案したものである。
【課題を解決するための手段】
【０００８】
本発明の請求項１記載に係る飲料容器は、容器体と、注ぎ口及び把手部を設けて容器体の開口部に固着した肩部材と、流出路の開放遮断を行う弁機構、及び弁の開閉操作を行う操作レバーを備えた栓体で構成され、注ぎ口と把手部と操作レバーを結ぶ線上と直交する方向において、肩部材の開口内周面適宜個所に設けた係止凹部に対して、栓本体の側面から付勢力で突出して係止し、付勢力に抗する後退操作で係止解除を行う着脱レバーによる栓体着脱構造を備えた飲料容器であって、栓本体を流出路及び弁機構を組み込んだ下方部材と、操作レバー及び着脱レバーを組み込んだ上方部材で形成し、上方部材の周側面を下方部材の周側面の内側に嵌合装着して二重壁に形成すると共に、着脱レバーの係止部の出没孔を、両周側面を貫通して設けてなることを特徴とするものである。
【０００９】
従って着脱レバーの操作で係止部の出没動作がなされるので、係止部の栓体周側面からの後退操作（中心方向への移動）によって栓体が肩部材から着脱され、更に係止部の外側出没孔からの後退によって上下部材の連結が解除される。
【００１０】
また本発明の請求項２記載に係る飲料容器は、前記の飲料容器において、操作レバーが弁閉塞位置にある状態で、着脱レバー先端が下方部材の外側出没孔内に位置する範囲内で、操作レバー側面によって後退動作が制限され、操作レバーが弁開放位置にある状態で、前記後退動作の制限が解除されてなる構造としたものである。
【００１１】
従って栓体が肩部材に装着して飲料容器使用時においては、操作レバーの上下操作で弁開閉がなされ、操作レバーが上方位置（弁閉塞位置）のときには、着脱レバーの後退操作が制限され、上下部材が連結状態で肩部材からの着脱がなされ、肩部材から取り外した後に、操作レバーを下げ、当該状態（弁開放位置）で着脱レバーを後退操作させると上下部材の連結が解除され分離されるものである。
【発明の効果】
【００１２】
本発明の構成は上記のとおりで、肩部材の開口部内面に設けた係止凹部に、栓体の側面から出没する着脱レバーの係止部による係止及び係止解除で着脱する飲料容器において、栓体を上下部材で構成し、着脱レバーで上下部材の連結を兼用する簡易な構造で、上下部材を容易に分解でき、内部洗浄可能としたものである。
【図面の簡単な説明】
【００１３】
【図１】本発明の実施形態の全体斜視図（栓体装着時）。
【図２】同図（栓体離脱時）。
【図３】同要部断面斜視図（栓体装着状態）。
【図４】同図（栓体分離直前状態）。
【図５】同栓体の一部断面斜視図（栓体装着時）。
【図６】同図（栓体分離時）。
【図７】同図（上下部材分離操作時）。
【図８】同上下部材分離した状態の斜視図。
【発明を実施するための形態】
【００１４】
次に本発明の実施形態について説明する。実施形態に示した飲料容器は、主として卓上用として使用されるもので、容器体１と、肩部材２と、栓体３で構成されている。
【００１５】
容器体１は、外容器部１１と内容器部１２からなるステンレス製真空二重構造で、開口部で内外容器部を溶着密封し、開口部外周に装着凹条１３を周設し、開口部内に受け突条１４を周設してなるものである。
【００１６】
肩部材２は、筒状本体部２１と注ぎ口２２と把手部２３を備え、筒状本体部２１は前記の注ぎ口２２と把手部２３とを結ぶ線上と直交する方向に、開口内周面適宜個所に係止凹部２４を設けてなり、容器体１の開口端を被覆すると共に、前記装着凹条１３に嵌合係止するものである。
【００１７】
栓体３は、下方部材３ａと上方部材３ｂで構成され、下方部材３ａは下方本体３１に弁機構３２を組み込んだものである。
【００１８】
下方本体３１は、周側面３１１と周側面３１１の中間に中底面３１２を備え、中底面３１２の非形成部分に流出路３１３を形成し、周側面３１１の下方外周に受け突条１４と当接水封するパッキン３１４を設け、前記流出路３１３の形成位置と９０度ずれた左右位置に、それぞれ横長孔である外側出没孔３１５を設けてなる。
【００１９】
弁機構３２は、中底面３１２の中央に組み込まれるもので、中底面３１２を貫通する弁軸３２１と、弁軸３２１の先端に周側面３１１の下方開口端を開閉する弁体３２２と、弁軸３２１を上方付勢する弁発条３２３と、弁軸３２１の頂部に装着して弁発条３２３を中底面３１２との間で保持するコマ部３２４で構成される。
【００２０】
上方部材３ｂは、上方本体３３に、操作レバー３４と着脱レバー３５を組み込んだものである。
【００２１】
上方本体３３は、天板部３３１と周側面３３２を備え、周側面３３２は、下方本体３１の周側面３１１に略密嵌合する形状で、嵌合時に外側出没孔３１５と対応する内側出没孔３３３を設け、天板部３３１における前記内側出没孔３３３を設けた線上に、着脱レバー３５の操作用凹部３３４を左右に形成し、操作用凹部３３４の底面には着脱レバー用孔部３３５を設けたものである。
【００２２】
操作レバー３４は、先端部を上方本体３３に枢結して回動自在とし、流出路形成位置と反対側において天板部３３１より外方に突出する操作部３４１と、回動操作で弁軸３２１の頂部を押圧して弁の開放動作を行う押圧板３４２と、回動操作に伴って着脱レバー３５の動作範囲に進出後退する阻止板部３４３を備えたものである。
【００２３】
着脱レバー３５は、Ｌ状板で、横板部分（先端）を栓体側方の内側出没孔３３３から突出させる係止部３５１とし、起立部分を操作用凹部３３４から突出させて操作部３５２としたものであり、更に着脱レバー３５を外方向へ付勢するレバー発条３５３を付設し、着脱レバー３５が所定距離後退した際（中心方向への移動）に、操作レバー３４の阻止板部３４３の動作範囲に進出する所定長の衝突部３５４を設けたものである。
【００２４】
而して容器体１に肩部材２を固着し、飲料供給時には栓体３を取り外し、飲料を容器体１内に注ぎ入れた後栓体３を装着し、操作レバー３４の操作で弁体３２２の開閉を行い使用するものである。
【００２５】
前記の飲料容器使用時における栓体３は、下方部材３ａに上方部材３ｂが嵌合装着されており、当該状態では着脱レバー３５の係止部３５１がレバー発条３５３の付勢力で内外出没孔３１５，３３３を貫通して突出し、下方部材３ａ及び上方部材３ｂは一体化している。
【００２６】
そして栓体３の肩部材２への着脱は、着脱レバー３５の操作（付勢力に抗する後退操作）によって係止部３５１の後退及び付勢力による突出で、肩部材２の係止凹部２４への係止及び係止解除で行われるものである。
【００２７】
特に本実施形態においては、操作レバー３４に阻止板部３４３を設けて、着脱レバー３５の係止部３５１の先端が外側出没孔３１５内に位置する状態で、衝突部３５４が阻止板部３４３とぶつかり、後退動作が阻止されるので、操作レバー３４が弁発条３２３の付勢力で持ち上げられていると、着脱レバー３５の動作は、係止部３５１の栓体周側面３１１からの突出・非突出の範囲に制限される（図５，図６）。
【００２８】
更に栓体３を肩部材２から取り外した後に、操作レバー３４を押し下げて、阻止板部３４３を衝突部３５４の動作範囲から逃がした状態で、着脱レバー３５を後退させると、阻止板部３４３が邪魔しないので、係止部３５１の先端が外側出没孔３１５より奥方に移動して内側出没孔３３３内に位置し（図７）、下方部材３ａを下方に引くと、上方部材３ｂとの嵌合装着が解除され、下方部材３ａと上方部材３ｂが分離する（図８）。
【００２９】
従って栓体３の着脱に際しては、操作レバー３４を動作させずに着脱レバー３５のみの操作で、上下部材３ａ，３ｂが一体化した状態で行われ、栓体３の内部洗浄を行う場合などは、操作レバー３４を下げた状態で着脱レバー３５を後退させると、上下部材３ａ，３ｂが簡単に分離するものである。
【符号の説明】
【００３０】
１      容器体
１１    外容器部
１２    内容器部
１３    装着凹条
１４    受け突条
２      肩部材
２１    筒状本体部
２２    注ぎ口
２３    把手部
２４    係止凹部
３      栓体
３ａ    下方部材
３ｂ    上方部材
３１    下方本体
３１１    周側面
３１２    中底面
３１３    流出路
３１４    パッキン
３１５    外側出没孔
３２    弁機構
３２１    弁軸
３２２    弁体
３２３    弁発条
３２４    コマ部
３３    上方本体
３３１    天板部
３３２    周側面
３３３    内側出没孔
３３４    操作用凹部
３３５    着脱レバー用孔部
３４    操作レバー
３４１    操作部
３４２    押圧板
３４３    阻止板部
３５    着脱レバー
３５１    係止部
３５２    操作部
３５３    レバー発条
３５４    衝突部
【図１】
2016175681.tif 000003
【図２】
2016175681.tif 000004
【図３】
2016175681.tif 000005
【図４】
2016175681.tif 000006
【図５】
2016175681.tif 000007
【図６】
2016175681.tif 000008
【図７】
2016175681.tif 000009
【図８】
2016175681.tif 000010